(57)【要約】      （修正有）【課題】固定パイプへの接続作業及び高さ調整が容易であり、角度調整に伴う重心移動も少なくし、更に、ボトム配線作業に邪魔にならないような薄型テレビ用テレビハンガーを提供する。【解決手段】固定パイプ１の外側に固定されるカラー８と、固定パイプ１の外側に摺動自在に配置される外筒２と、外筒２と一体に固定され貫通穴を有する支持枠３と、支持枠３の外側にて貫通穴に対応する部分に上側貫通穴１８及びその下側に下側貫通穴２０を設けた可動枠４と、貫通穴と上側貫通穴１８とに挿通された上側棒状体５と、下側貫通穴２０に挿通された下側棒状体６と、薄型テレビの裏面の両側部付近に装着可能で係止片２５を有する係止部材７とからなり、外筒２を固定パイプ１へ固定する固定手段と、可動枠４の支持枠３に対する回転角度を任意の位置で固定できる調整手段とを有する。【選択図】図３
0003153455.tif 000002
【実用新案登録請求の範囲】
【請求項１】
天井より吊り下げられた固定パイプに取り付けられ、薄型テレビを保持するテレビハンガーであって、
固定パイプの外側に固定されるカラーと、
カラーの上側で固定パイプの外側に摺動自在に配置される外筒と、
外筒と一体に固定され両側面部に貫通穴を有する支持枠と、
支持枠の両側面部の外側にて支持枠の貫通穴に対応する部分に上側貫通穴及びその下側に下側貫通穴を設けた両側面部を有する可動枠と、
支持枠の貫通穴と可動枠の上側貫通穴とに挿通された上側棒状体と、
可動枠の下側貫通穴に挿通された下側棒状体と、
薄型テレビの裏面の両側部付近に装着可能で上側棒状体と下側棒状体とに係止可能な係止片を有する係止部材とからなり、
外筒を固定パイプへ不回転状態に固定する固定手段と、可動枠の支持枠に対する上側棒状体を中心軸とした回転角度を任意の位置で固定できる調整手段とを有することを特徴とする薄型テレビ用テレビハンガー。
【請求項２】
可動枠の支持枠に対する回転角度を任意の位置で固定できる調整手段として、可動枠の側面部に上側貫通穴を中心とした同心円の円周上に沿った貫通状の角度調整溝を１又は２以上設け、支持枠の側面部の角度調整溝と重なる位置にネジ穴を設けておき、ボルトを角度調整溝を通じてネジ穴に螺合して締結することで可動枠と支持枠を固定可能なことを特徴とする請求項１に記載の薄型テレビ用テレビハンガー。
【考案の詳細な説明】
【技術分野】
【０００１】
この考案は、会議室、宴会場、病院の待合室等において、天井からＴＶ受像機器（以下、テレビと称す）を吊り下げるためのテレビハンガーに関し、特に液晶テレビやプラズマディスプレイ等の薄型テレビ用のテレビハンガーに関するものである。
【背景技術】
【０００２】
喫茶店、病院の待合室等の屋内において、娯楽のために人々がＴＶ放映を鑑賞できるようにテレビを置いていることが多いが、テレビの設置方法として、天井からテレビを高い位置にて吊り下げることで、設置場所をなるべく取らずに、大勢の人に鑑賞してもらう方法がある。
【０００３】
テレビの吊り下げ方法は、通常の市販されているテレビを利用し、これを天井から吊り下げ固定されている固定パイプに接続されるテレビハンガーにてテレビを保持することで行われる。
【０００４】
ところで、従来主流だったテレビはブラウン管方式であり、高さ、幅、奥行きの三方向に寸法を取る矩形状の筐体をしており、それに合わせてテレビハンガーもこれら矩形状のテレビを保持しうるように最適化されたものが用いられていた。
【０００５】
しかし、最近はブラウン管方式のテレビに代わって、液晶テレビやプラズマディスプレイテレビ等の奥行きがブラウン管方式のテレビに比べて少ない薄型テレビが主流となってきており、従来のブラウン管テレビが古くなった場合、代替として上記のような薄型テレビが導入されつつある。
【０００６】
これら薄型テレビは、ブラウン管テレビに比べて奥行き寸法が小さく、一方、幅は従来のブラウン管テレビよりかなり広い幅を有しており、従来のブラウン管テレビ用のテレビハンガーがそのまま利用できないため、奥行きが小さく幅が広い薄型テレビに適応したテレビハンガーが種々開発されてきている（例えば、特許文献１参照）。
【０００７】
特に、２０１１年の地上波アナログ放送の終了に伴い、デジタル対応のテレビへの買い換えが今後急激に進むと思われるが、デジタル対応のテレビは殆ど前記の薄型テレビであり、吊り下げ型テレビもブラウン管テレビから薄型テレビへの代替が進んでおり、それに伴いテレビハンガーの取り替え作業も今後急ピッチで進むと思われる。
【先行技術文献】
【特許文献】
【０００８】
【特許文献１】特開２００６−３１７５０４号公報
【考案の概要】
【考案が解決しようとする課題】
【０００９】
しかし、特許文献１を含む従来のテレビハンガーの場合、部品点数も多くて高コストであり、また、そのハンガーの天井からの固定方法が複雑で、ＴＶのアナログ波停波に伴い急ピッチで増えてくる従来のテレビハンガーとの交換作業に人手と時間がかかることになる。
【００１０】
また、従来のテレビハンガーを撤去して新たに薄型テレビ用のテレビハンガーを設置する場合、テレビの寸法、特に奥行きが違うので、従来のテレビと違う高さへの高さ調整が必要となるが、従来のテレビハンガーを吊り下げていた天井から固定された固定パイプを流用して高さ調整することは難しかった。
【００１１】
また、従来のブラウン管テレビは、固定パイプの真下に重心が取り付けられていたが、薄型テレビは、その薄型の利点を生かして固定パイプの前側に取り付けられることが多く、傾斜角度によってテレビの重心位置がかわり、それに伴いテレビの重心位置が固定パイプからの距離が変化し、吊り下げに無理な力がかかることがあった。
【００１２】
更に、テレビに必要な電源の配線、及びアンテナからの配線（ボトム配線）は、美観の点からも固定パイプ内に配線されることが多かったが、新たなテレビハンガーに取り替える場合、この固定パイプを封鎖してしまったり、また、固定パイプの途中にて内部にボルトネジを使用する物もあり、天井からの配線が途中でボルトにひっかかり、ボトム配線を接続する作業に手間がかかるという問題もあった。
【００１３】
そこで、この考案の目的は、従来のようなテレビハンガーの問題点を解決するためになされたもので、固定パイプへの接続作業及び高さ調整が容易であり、また、角度調整に伴う重心移動も少なくし、更に、ボトム配線作業に邪魔にならないような薄型テレビ用テレビハンガーを提供することである。
【課題を解決するための手段】
【００１４】
以上のような課題を解決するため、請求項１の考案は、天井より吊り下げられた固定パイプに取り付けられ、薄型テレビを保持するテレビハンガーであって、固定パイプの外側に固定されるカラーと、カラーの上側で固定パイプの外側に摺動自在に配置される外筒と、外筒と一体に固定され両側面部に貫通穴を有する支持枠と、支持枠の両側面部の外側にて支持枠の貫通穴に対応する部分に上側貫通穴及びその下側に下側貫通穴を設けた両側面部を有する可動枠と、支持枠の貫通穴と可動枠の上側貫通穴とに挿通された上側棒状体と、可動枠の下側貫通穴に挿通された下側棒状体と、薄型テレビの裏面の両側部付近に装着可能で上側棒状体と下側棒状体とに係止可能な係止片を有する係止部材とからなり、外筒を固定パイプへ不回転状態に固定する固定手段と、可動枠の支持枠に対する上側棒状体を中心軸とした回転角度を任意の位置で固定できる調整手段とを有する構成を採用したものである。
【００１５】
請求項２の考案は、上記請求項１に記載の薄型テレビ用テレビハンガーにおいて、可動枠の支持枠に対する回転角度を任意の位置で固定できる調整手段として、可動枠の側面部に上側貫通穴を中心とした同心円の円周上に沿った貫通状の角度調整溝を１又は２以上設け、支持枠の側面部の角度調整溝と重なる位置にネジ穴を設けておき、ボルトを角度調整溝を通じてネジ穴に螺合して締結することで可動枠と支持枠を固定可能な構成を採用したものである。
【考案の効果】
【００１６】
請求項１の考案によれば、テレビハンガーを従来のテレビハンガーを撤去した後の天井から突き出た固定パイプに対し、外側にカラーを固定してテレビハンガーを支えるので、固定構造が簡単で低コストであり、取付作業も容易となる。
【００１７】
また、既存の固定パイプへネジ等で締結して取り付けられるはカラーのみであり、カラー固定用のネジが固定パイプ内に突出することになっても、カラーは通常は固定パイプの最下端付近に固定されるので、ボトム配線を天井裏から固定パイプ内に配線する場合、パイプ途中で引っかかること無くパイプ最下端付近まで落とせるので、配線の取り出しが容易となる。
【００１８】
また、テレビを見るときの仰角に合わせて画面角度を調整する際、テレビを支える２つの棒状体のうち、上側の棒状体を支点に回転して角度を調整するので、固定パイプに対してテレビの重心位置があまり変化せず、固定パイプに無理な力がかからない。
【００１９】
次に、請求項２の考案によると、固定パイプ側の支持枠とテレビと一体に角度を変更する可動枠とを、側面部に設けた角度調整溝を通じてネジ穴にボルトのネジをねじ込んで固定するので、締め付けによる固定より確実であり、また、溝に沿った適宜な角度に自由に調整することができる。
【図面の簡単な説明】
【００２０】
【図１】この考案のテレビハンガーの正面図である。
【図２】この考案のテレビハンガーの背面図である。
【図３】この考案のテレビハンガーの斜視図である。
【図４】図２のIV−IV線断面図である。
【図５】同上の傾斜状態を示す断面図である。
【図６】図２のVI−VI線断面図である。
【図７】カラーの斜視図である。
【考案を実施するための形態】
【００２１】
以下、この考案の実施例を添付図面を参考にして説明する。
図１乃至図３に示すように、天井より上部分にあるスラブ等の構造物に適宜手段にて固定されて下方に伸び、天井板に開けられた穴等を通じて天井下部に垂直方向に突出する円筒形で中身が空洞のパイプ状となった固定パイプ１の下端部に本考案のテレビハンガーが固定される。
【００２２】
この考案のテレビハンガーの主要部品は、中央部にて上下方向に貫通するパイプ状の外筒２と、この外筒２の外側に接続固定された支持枠３と、この支持枠３の外側に接するように設けた可動枠４と、この支持枠３と可動枠４を横方向に貫く上側棒状体５と、この上側棒状体５と平行で可動枠４を横方向に貫く下側棒状体６と、これら上側棒状体５と下側棒状体６とに係止可能な一対の係止部材７とからなり、外筒２を前記固定パイプ１に外嵌装して固定し、一対の係止部材７をテレビの裏面両側部付近に接続固定した上で、この係止部材７を上側棒状体５と下側棒状体６に係止して、テレビが固定されるようになる。
【００２３】
固定パイプ１の外周面に外嵌装されるテレビハンガーの外筒２は、中空のパイプ状で、内径が固定パイプ１の外径と同一か若干大き目となっており、固定パイプ１の外周面に内面を接してて上下方向に摺動自在となっている。
【００２４】
固定パイプ１の最下端にはカラー８が締結固定され、固定パイプ１に対してテレビハンガーの外筒２を通した後にこのカラー８を固定することで固定パイプ１の下端が太くなった鍔状となり、テレビハンガーの外筒２の下方への抜け止めとなっている。
【００２５】
カラー８の固定方法は、固定パイプ１にカラー８を外嵌装した後、カラー８と固定パイプ１に設けられたネジ穴等にネジをねじ込んで止める等、周知となっている適宜方法で固定すれば良いが、例えば、固定パイプ１に予め直径方向にネジが通る程度の貫通穴を２つ開けておき、カラー８には、図７で示すように、一方にボルト（図示せず）のボルトヘッドがぎりぎり入り込む程度の大きさの大径穴９を開け、他方にボルトがねじ込まれるネジ山を切ったネジ穴１０を開けておき、カラー８の大径穴９とネジ穴１０を固定パイプ１の貫通穴と一致させた状態で、大径穴９からボルトをねじ込んでネジ穴１０に螺合すると、大径穴９内にねじ込まれたボルトのボルトヘッドは大径穴９を通過してカラー８内部で固定ボルト１をネジ穴１０側に押圧するので、カラー８のネジ穴１０付近内壁が固定ボルト１の外表面に圧接することで摩擦力が生じ、カラー８の固定パイプ１へのガタのない取付が可能となる。
【００２６】
前記外筒２と一体に固定された支持枠３は、板状体を２カ所で折り曲げて背面部１１と２つの側面部１２，１２を有する断面コ字状とし、コ字状の部分で外筒２を挟む込む状態で溶接等にて一体に固定されており、両側面部１２，１２には、外筒２と重ならない部分に円形状の貫通穴１３，１３が開けられている。
【００２７】
また、背面部１１には、上下２カ所に下の外筒２の内面部にまで達する貫通穴となってネジ山を切ったネジ穴が設けられており、ここに雄ネジ状のネジ１４をねじ込むことで固定パイプ１を押圧して、外筒２を固定パイプ１へ不回転状態に固定する固定手段としている。
【００２８】
支持枠３に対して外側に可動枠４が被せられており、この可動枠４は広い板状体からなる正面部１５から、中央部に前記支持枠３の両側面部１２に接して挟み込む２つの側面部１６，１６を立設し、更に正面部１５の端部から立ち上がる側面部１７，１７が設けられ、この可動枠４の正面部１５と両側面部１６，１６にて支持枠３とは逆方向から外筒２と支持枠３を挟み込むようにしており、この可動枠４の両側面部１６，１６における支持枠３に開けられた貫通穴１３に合致する部分に上側貫通穴１８，１８が開けられている。
【００２９】
また、端部の両側面部１７にも、両側面部１６，１６に開けられた両上側貫通穴１８，１８の延長線上に当たる位置に上側貫通穴１９，１９が開けられており、これら支持枠３の貫通穴１３，１３と、可動枠４の上側貫通穴１８，１８，１９，１９に対して、水平方向に上側棒状体５が挿通されネジ止め等により固定されている。
【００３０】
また、可動枠４の両側面部１６における上側貫通穴１８，１８の下側には下側貫通穴２０，２０が開けられ、更にその外側の両側面部１７における両下側貫通穴２０，２０の延長線上に当たる位置にも下側貫通穴２１，２１が開けられており、これら下側貫通穴２０，２０，２１，２１に下側棒状体６が挿通されネジ止め等により固定されている。
【００３１】
また、上側棒状体５及び下側棒状体６の両端部には、上側棒状体５と下側棒状体６の端部を繋ぐプラスチック製やその他の材質からなるキャップ部材２２が被せられている。
【００３２】
これで支持枠３と可動枠４の両方に挿通された上側棒状体５を中心軸として、支持枠３に対して可動枠４が回動可能となり、即ち、可動枠４が図４の状態から図５の状態に傾動可能となる。
【００３３】
可動枠４の側面部１６には上側貫通穴１８を中心に同心円状となった貫通状の２つの角度調整溝２３が開けられており、一方、支持枠３の側面部１２には、ネジ山を切ったネジ穴（図示せず）が設けられており、角度調整溝２３を通じて支持枠３側のネジ穴に雄ネジを設けたネジ２４をねじ込んで締結することにより、可動枠４が支持枠３に対して所定角度で固定されるようになる。
【００３４】
一対の係止部材７には、それぞれ上下に下向きの係止片２５が設けられており、この係止片２５の上下の間隔は、可動枠４に固定された上側棒状体５と下側棒状体６の上下間隔に等しい距離となっている。
【００３５】
この係止部材７は、用意された薄型テレビＴの裏面の両側部付近に、テレビ取付穴２６を利用してネジ等をテレビ背面の適宜ネジ穴に螺合することで、係止部材７を薄型テレビＴと接続固定され、その後、上側棒状体５と下側棒状体６に係止片２５を掛けて薄型テレビＴをテレビハンガーに係止する。
【００３６】
係止片２５には、上側棒状体５と下側棒状体６へ係止状態のテレビの左右方向の位置決めと固定のために上側棒状体５と下側棒状体６を押圧する押さえネジ２８を有しており、また、地震等の振動等により係止片２５が上下に動いて上側棒状体５や下側棒状体６から外れる事故を防止するため、上側棒状体５の下側に突出する抜け止めネジ２９を有する。
【００３７】
なお、下から見たとき、美観のために支持枠３やカラー８等の機械構造を隠すために図３乃至図５に示すように可動枠４の下端にカバー２７を取り付けるようにしておいてもよい。
【００３８】
次に、この考案のテレビハンガーの取付作業を、従来型ブラウン管テレビを吊り下げていたテレビハンガーと交換する場合を例にして説明する。
【００３９】
まず、従来型ブラウン管テレビを保持して吊り下げていた従来のテレビハンガー（図示せず）を取り外すと、従来のテレビハンガーを最下端に取り付けていた天井から固定されている固定パイプ１が残る。
【００４０】
この固定パイプ１の下端から、この考案のテレビハンガーの外筒２と支持枠３とが一体になった部材を、外筒２の内部に固定パイプ１を挿入するように装着し、次に、固定パイプ１の下端付近にカラー８を接続固定する。
【００４１】
カラー８の接続固定方法は、固定パイプ１の下端付近にて、固定パイプ１に直径方向に２つの貫通穴（図示せず）を開けて、カラー８側の大径穴９にボルトを通して反対側のネジ穴２０に螺合して固定する。
【００４２】
また、従来のテレビハンガーを撤去した残りの固定パイプ１が、新たなテレビハンガーにとって短かったり、或いはカラー８を接続するのが困難な場合、残った固定パイプ１に同直径の固定パイプをねじ切ってねじ込むか、上記のカラー８の取付方法と同じの方法で固定パイプ１の延長部を形成してもよい。
【００４３】
カラー８の固定後、自重でカラー８の上に載置された外筒２と支持枠３に対して、支持枠３の背面部１１に設けられた、支持枠３とその下の外筒２も貫通するネジ穴にネジ１４をねじ込んで、ネジ１４のネジ先が固定パイプ１の表面を押圧することで、外筒２の固定パイプ１に対する水平方向への自由回転と上下方向へのがたつきを阻止する。
【００４４】
なお、このネジ１４のネジ穴へのねじ込みは、テレビをテレビハンガーに設置後に、固定パイプ１に対する外筒２を回転させることでテレビ画面を回転させて、その方向を調整して、テレビの位置を決定してから行っても良い。
【００４５】
次に、支持枠３の正面側から可動枠４を被せ、支持枠３の両側面部１２，１２にある貫通穴１３，１３と可動枠４の側面部１６，１６，１７，１７に開けられた上側貫通穴１８，１８，１９，１９を位置合わせし、これら貫通穴１３と上側貫通穴１８，１９に上側棒状体５を通すことで、支持枠３に対して可動枠４を接続し、更に、上側棒状体５をネジ止め等により可動枠４に固定する。
【００４６】
次に、可動枠４の下側貫通穴２０，２１には、下側棒状体６を通してネジ止め等により固定するが、上述の上側棒状体５の挿通作業前に可動枠４に先に下側棒状体６を固定しておいてもよい。
【００４７】
上側棒状体５及び下側棒状体６の可動枠４への固定後、これら上側棒状体５及び下側棒状体６の両端部にキャップ部材２２を被せて両棒状体を一体化することで強度を高める。
【００４８】
次に、可動枠４を適宜な角度にしてから、その角度の位置で可動枠４の側面部１６にある角度調整溝２３を通じて、支持枠３の側面部１２にあるネジ穴にネジ２４をねじ込むことで可動枠４を任意の傾斜角度にて固定する。
【００４９】
その後、薄型テレビＴの裏面にテレビ取付穴２６を利用して係止部材７を取り付け、係止部材７の４つの係止片２５を、上側棒状体５と下側棒状体６とに係止し、次に、押さえネジ２８をねじ込むことで係止片２５を上側棒状体５と下側棒状体６とに位置決め固定し、更に、抜け止めネジ２９をねじ込んで、係止片２５の上側棒状体５や下側棒状体６からの抜け止めとすることで、薄型テレビＴの天井からの吊り下げ作業が完了する。
【００５０】
また、その後、薄型テレビＴの俯角調整をする際も、上側棒状体５を支点に回動するので、角度調整溝２３から雄ネジ部材を外した後の手作業での調整においても無理な力がかからない。
【符号の説明】
【００５１】
１  固定パイプ
２  外筒
３  支持枠
４  可動枠
５  上側棒状体
６  下側棒状体
７  係止部材
８  カラー
９  大径穴
１０  ネジ穴
１１  背面部
１２  側面部
１３  貫通穴
１４  ネジ
１５  正面部
１６，１７  側面部
１８，１９  上側貫通穴
２０，２１  下側貫通穴
２２  キャップ部材
２３  角度調整溝
２４  ネジ
２５  係止片
２６  テレビ取付穴
２７  カバー
２８  押さえネジ
２９  抜け止めネジ
【図１】
0003153455.tif 000003
【図２】
0003153455.tif 000004
【図３】
0003153455.tif 000005
【図４】
0003153455.tif 000006
【図５】
0003153455.tif 000007
【図６】
0003153455.tif 000008
【図７】
0003153455.tif 000009